(57)【要約】【課題】  建物の建築現場等においてクレーンで柱を吊上げて建込み位置に設置する作業を安全にかつ効率良く行うことを可能にする柱吊り治具を提供する。【解決手段】  この柱吊り治具１は、クレーンで柱３０を立てた姿勢で吊り上げるときに用いられる治具であって、リング状部材２、複数本の上側吊索３、および複数本の下側吊索４を有する。リング状部材２は、柱３０の上下方向中間部の周囲を囲むように配置される。複数本の上側吊索３は、リング状部材２の互いに周方向の異なる箇所に一端がそれぞれ結合され、他端がクレーンのフック４０に掛けられる。複数本の下側吊索４は、リング状部材２の互いに周方向の異なる箇所に一端がそれぞれ結合され、他端が柱３０の下端部に結合される。【選択図】        図１
2016023021.tif 000002
【特許請求の範囲】
【請求項１】
クレーンで柱を立てた姿勢で吊り上げるときに用いられる治具であって、前記柱の上下方向中間部の周囲を囲むリング状部材と、このリング状部材の互いに周方向の異なる箇所に一端がそれぞれ結合され他端が前記クレーンのフックに掛けられる複数本の上側吊索と、前記リング状部材の互いに周方向の異なる箇所に一端がそれぞれ結合され他端が前記柱の下端部に結合される複数本の下側吊索とを有することを特徴とする柱吊り治具。
【請求項２】
請求項１に記載の柱吊り治具において、前記リング状部材の周方向の少なくとも一箇所に、開状態で前記柱の出入りが可能な開閉部を設けた柱吊り治具。
【請求項３】
請求項２に記載の柱吊り治具において、前記リング状部材は周方向に分割された２つの半割部材を有し、前記リング状部材を前記２つの半割部材に分割する２つの分割部のうちの片方の分割部は、前記２つの半割部材を互いに回動自在に連結したピン結合構造であり、もう片方の分割部は、前記２つの半割部材同士を連結手段により互いに係脱可能に連結した構造であり、前記もう片方の分割部が前記開閉部となる柱吊り治具。
【請求項４】
請求項１ないし請求項３のいずれか１項に記載の柱吊り治具を使用する方法であって、
施工前の前記柱に対して前記柱吊り治具を取り付ける過程と、前記柱を前記クレーンにより吊り上げ、かつ建て込み位置に設置する過程と、前記建て込み位置に設置された前記柱から前記柱吊り治具を取り外す過程とを含み、
前記柱吊り治具を取り外す過程は、前記複数本の下側吊索と前記柱の下端部との結合を外した後、前記クレーンにより前記柱吊り治具を前記リング状部材が前記柱の上端よりも高くなる高さまで上昇させて、前記柱に対し前記リング状部材を上方に抜くことにより、前記柱から前記柱吊り治具を取り外す柱吊り治具の使用方法。
【請求項５】
請求項２または請求項３に記載の柱吊り治具を使用する方法であって、
施工前の前記柱に対して前記柱吊り治具を取り付ける過程と、前記柱を前記クレーンにより吊り上げ、かつ建て込み位置に設置する過程と、前記建て込み位置に設置された前記柱から前記柱吊り治具を取り外す過程とを含み、
前記柱吊り治具を取り外す過程は、前記複数本の下側吊索と前記柱の下端部との結合を外した後、前記クレーンにより前記柱吊り治具を前記リング状部材が地面または地面近くの高さとなるまで下降させ、地面または地面近くの高さに位置する前記リング状部材の前記開閉部を開状態とし、この開状態の開閉部を通じて前記リング状部材の中から外へ前記柱を出すことにより、前記柱から前記柱吊り治具を取り外す柱吊り治具の使用方法。  
【発明の詳細な説明】
【技術分野】
【０００１】
この発明は、学校、事務所、倉庫、商業施設等の２、３階建てのプレハブ建物等の建築現場において、クレーンにより柱を吊り上げて建て込むときに用いられる柱吊り治具、およびその使用方法に関する。
【背景技術】
【０００２】
上記プレハブ建物の建築現場では、地面に横倒しに置かれている柱をクレーンにより起こし、吊り上げ、建て込み位置に設置する。その際、従来は、柱に吊索を直接玉掛けして吊り上げていた。すなわち、図１７に示すように、吊索５０の一端を、柱３０の中央部よりも下側に設けられたガセットプレート（３階建て建物用の柱３０の場合、２階床梁の高さのガセットプレート）３５にシャックル２５を用いて結合し、柱３０の中央部よりもやや上部に吊索５０の中間部を２巻き以上のあだ巻きする。そして、図１８に示すように、吊索５０の他端をクレーンのフック４０に掛けて、クレーンにより柱３０を吊り上げる。
【先行技術文献】
【特許文献】
【０００３】
【特許文献１】特開２０１２−１９３５７６号公報
【発明の概要】
【発明が解決しようとする課題】
【０００４】
図１７、図１８に示す従来の玉掛けによる柱の吊上げ方法は、柱３０に対して吊上げ前の吊索５０の巻付け作業、および柱設置後の吊索５０を外す作業を行わねばならないため、作業効率が悪かった。特に、吊索５０を外す作業は、地上から数メートル（３メートル程度）の高さにある前記ガセットプレート３５から吊索５０の一端を外してから行わねばならず、手間がかかるうえ、高所作業となり危険を伴う。また、柱３０を吊り上げたときに、図１８に示すように、あだ巻きの吊索巻付け位置Ｐを中心にして柱３０が少し傾いた姿勢となるため、柱３０の上部がクレーンのフック４０に接触し、吊り上げられた柱３０が振れる可能性がある。さらに、柱３０を建て込み位置に設置する際に柱３０の姿勢を修正する必要があり、柱３０の設置作業が難しい。
【０００５】
この発明の目的は、建物の建築現場等においてクレーンで柱を吊上げて建込み位置に設置する作業を安全にかつ効率良く行うことを可能にする柱吊り治具を提供することである。
この発明の他の目的は、設置された柱から柱吊り治具を安全かつ迅速に取り外すことができる柱吊り治具の使用方法を提供することである。
この発明の他の目的は、柱に対してリング状部材を上方に抜くことが難しい場合でも、柱から柱吊り治具を取り外すことができる柱吊り治具の使用方法を提供することである。
【課題を解決するための手段】
【０００６】
この発明の柱吊り治具は、クレーンで柱を立てた姿勢で吊り上げるときに用いられる治具であって、前記柱の上下方向中間部の周囲を囲むリング状部材と、このリング状部材の互いに周方向の異なる箇所に一端がそれぞれ結合され他端が前記クレーンのフックに掛けられる複数本の上側吊索と、前記リング状部材の互いに周方向の異なる箇所に一端がそれぞれ結合され他端が前記柱の下端部に結合される複数本の下側吊索とを有することを特徴とする。
【０００７】
この構成の柱吊り治具を用いてクレーンで柱を吊り上げる場合、リング状部材を柱の上下方向中間部の周囲を囲むように配置し、上側吊索の前記他端をクレーンのフックに掛け、かつ複数本の下側吊索の前記他端を柱の下端部に結合する。この状態で、クレーンで上側吊索を引き上げることにより、柱を吊り上げる。複数の上側吊索により互いに周方向に異なる箇所が吊られたリング状部材は、水平姿勢となる。この水平姿勢のリング状部材により柱の上下方向中間部の周囲が囲まれて、柱の上下方向中間部の水平移動が限定される。また、リング状部材の互いに周方向の異なる箇所に結合された複数の下側吊索により柱の下端部が支持されるため、柱の下端部の位置が水平面上で振れずに安定する。これらのことから、吊り上げられた柱は、ほぼ垂直の姿勢に安定して保持される。吊り上げられた柱を下降させて所定の建て込み位置に設置するときも、柱が上記安定姿勢に保持されるため、柱の設置を安全かつ容易に行うことができる。
【０００８】
柱吊り治具を用いた柱の吊り上げに際しては、以下の作業を行う。すなわち、吊上げ前には、リング状部材の中に柱の上下方向中間部を入れ、複数本の上側吊索の前記他端をクレーンのフックに掛け、複数本の下側吊索の前記他端を柱の下端部に結合する。上側吊索の他端は、クレーンのフックに掛けたままであっても良い。また、柱を設置した後には、複数本の下側吊索の前記他端を柱の下端部から外す。これにより、クレーンで上側吊索を引き上げることで、柱に対してリング状部材を上方に抜いて、柱から柱吊り治具を取り外すことが可能になる。従来の玉掛けによる柱の吊上げ方法のように、柱に吊索を巻き付けたり、外したりする作業が不要であるため、作業効率が良い。また、柱から吊索を外すための高所作業をしなくてよいので、安全である。
【０００９】
この発明において、前記リング状部材の周方向の少なくとも一箇所に、開状態で前記柱の出入りが可能な開閉部を設けると良い。
リング状部材に開閉部が設けられていると、柱吊上げ前に、開状態の開閉部を通してリング状部材の中に柱の上下方向中間部を容易に入れることができる。また、柱設置後、リング状部材を地面または地面近くの高さまで下降させることにより、リング状部材の開状態にした開閉部を通して、リング状部材の中から外へ柱を出すことができる。つまり、リング状部材に開閉部が設けられていると、前述のリング状部材を上方に抜いて柱から柱吊り治具を取り外す方法と、リング状部材の開閉部から柱を出すことで柱から柱吊り治具を取り外す方法とを、状況に応じて使い分けることができる。例えば、柱に横方向に大きく張り出す部材が取り付けられており、柱に対してリング状部材を上方に抜くことが難しい場合等に、後者の方法を選択すると良い。
【００１０】
前記開閉部を有するリング状部材は、例えば以下の構成とすると良い。すなわち、前記リング状部材は周方向に分割された２つの半割部材を有し、前記リング状部材を前記２つの半割部材に分割する２つの分割部のうちの片方の分割部は、前記２つの半割部材を互いに回動自在に連結したピン結合構造であり、もう片方の分割部は、前記２つの半割部材同士を連結手段により互いに係脱可能に連結した構造とする。この場合、前記もう片方の分割部が前記開閉部となる。
この構成であると、連結手段を外して２つの半割部材をもう片方の分割部で分離することで、開閉部であるもう片方の分割部が開状態ととなり、また連結手段により２つの半割部材同士を互いに連結することで、開閉部であるもう片方の分割部が閉状態になる。この構成は、簡易な機構でありながら、確実な動作が期待できる。
【００１１】
この発明の第１の柱吊り治具の使用方法は、請求項１ないし請求項３のいずれか１項に記載の柱吊り治具を用いる。この柱吊り治具の使用方法は、施工前の前記柱に対して前記柱吊り治具を取り付ける過程と、前記柱を前記クレーンにより吊り上げ、かつ建て込み位置に設置する過程と、前記建て込み位置に設置された前記柱から前記柱吊り治具を取り外す過程とを含む。前記柱吊り治具を取り外す過程は、前記複数本の下側吊索と前記柱の下端部との結合を外した後、前記クレーンにより前記柱吊り治具を前記リング状部材が前記柱の上端よりも高くなる高さまで上昇させて、前記柱に対し前記リング状部材を上方に抜くことにより、前記柱から前記柱吊り治具を取り外す。
この柱吊り治具の使用方法によると、柱吊り治具を取り外す過程において、複数本の下側吊索と柱の下端部との結合を外すだけで、柱に対してリング状部材を上方に抜いて、柱から柱吊り治具を取り外すことができる。複数本の下側吊索と柱の下端部との結合を外す作業は、地上で行うことができるため安全である。また、複数本の下側吊索と柱の下端部との結合を外す作業は、柱の設置が完了した時点の状態で行うことができるので、柱吊り治具を下降させる等の前作業が不要であり、柱吊り治具の取外しを迅速に行える。
【００１２】
この発明の第２の柱吊り治具の使用方法は、請求項２または請求項３に記載の柱吊り治具を用いる。この柱吊り治具の使用方法は、施工前の前記柱に対して前記柱吊り治具を取り付ける過程と、前記柱を前記クレーンにより吊り上げ、かつ建て込み位置に設置する過程と、前記建て込み位置に設置された前記柱から前記柱吊り治具を取り外す過程とを含む。前記柱吊り治具を取り外す過程は、前記複数本の下側吊索と前記柱の下端部との結合を外した後、前記クレーンにより前記柱吊り治具を前記リング状部材が地面または地面近くの高さとなるまで下降させ、地面または地面近くの高さに位置する前記リング状部材の前記開閉部を開状態とし、この開状態の開閉部を通じて前記リング状部材の中から外へ前記柱を出すことにより、前記柱から前記柱吊り治具を取り外す。
この柱吊り治具の使用方法によると、柱に横方向に大きく張り出す部材が取り付けられている等の理由により、柱に対してリング状部材を上方に抜くことが難しい場合でも、柱から柱吊り治具を取り外すことができる。
【発明の効果】
【００１３】
この発明の柱吊り治具は、クレーンで柱を立てた姿勢で吊り上げるときに用いられる治具であって、前記柱の上下方向中間部の周囲を囲むリング状部材と、このリング状部材の互いに周方向の異なる箇所に一端がそれぞれ結合され他端が前記クレーンのフックに掛けられる複数本の上側吊索と、前記リング状部材の互いに周方向の異なる箇所に一端がそれぞれ結合され他端が前記柱の下端部に結合される複数本の下側吊索とを有するため、建物の建築現場等で、横倒しに置かれた柱を吊上げて建込み位置に設置する作業を、安全にかつ効率良く行うことが可能となる。
【００１４】
この発明の第１の柱吊り治具の使用方法は、請求項１ないし請求項３のいずれか１項に記載の柱吊り治具を使用し、施工前の前記柱に対して前記柱吊り治具を取り付ける過程と、前記柱を前記クレーンにより吊り上げ、かつ建て込み位置に設置する過程と、前記建て込み位置に設置された前記柱から前記柱吊り治具を取り外す過程とを含み、前記柱吊り治具を取り外す過程は、前記複数本の下側吊索と前記柱の下端部との結合を外した後、前記クレーンにより前記柱吊り治具を前記リング状部材が前記柱の上端よりも高くなる高さまで上昇させて、前記柱に対し前記リング状部材を上方に抜くことにより、前記柱から前記柱吊り治具を取り外すため、設置された柱から柱吊り治具を安全かつ迅速に取り外すことができる。
【００１５】
この発明の第２の柱吊り治具の使用方法は、請求項２または請求項３に記載の柱吊り治具を使用し、施工前の前記柱に対して前記柱吊り治具を取り付ける過程と、前記柱を前記クレーンにより吊り上げ、かつ建て込み位置に設置する過程と、前記建て込み位置に設置された前記柱から前記柱吊り治具を取り外す過程とを含み、前記柱吊り治具を取り外す過程は、前記複数本の下側吊索と前記柱の下端部との結合を外した後、前記クレーンにより前記柱吊り治具を前記リング状部材が地面または地面近くの高さとなるまで下降させ、地面または地面近くの高さに位置する前記リング状部材の前記開閉部を開状態とし、この開状態の開閉部を通じて前記リング状部材の中から外へ前記柱を出すことにより、前記柱から前記柱吊り治具を取り外すため、柱に対してリング状部材を上方に抜くことが難しい場合でも、柱から柱吊り治具を取り外すことができる。
【図面の簡単な説明】
【００１６】
【図１】（Ａ）はこの発明の一実施形態にかかる柱吊り治具を柱に取り付けた状態を示す正面図、（Ｂ）はその側面図である。
【図２】同柱吊り治具のリング状部材の平面図に柱の平面図を加えた図である。
【図３】図２のIII矢視図である。
【図４】図２のIV矢視図である。
【図５】図２のＶ−Ｖ断面図である。
【図６】（Ａ），（Ｂ）は図４のVI部の互いに異なる状態を示す拡大図である。
【図７】（Ａ）は同リング状部材における２つの半割部材のもう片方の分割部の平面図、（Ｂ）はその正面図である。
【図８】同リング状部材の開閉部が開状態であるときの平面図である。
【図９】同柱吊り治具の上側吊索または下側吊索を示す図である。
【図１０】同柱吊り治具のリング状部材と上側吊索および下側吊索との結合部を示す正面図である。
【図１１】同柱吊り治具の下側吊索と柱の下端部との結合部、および柱と基礎との結合部を示す正面図である。
【図１２】同柱吊り治具の下側吊索と柱の下端部との結合部、および柱と基礎との結合部を示す平面図である。
【図１３】リング状部材の異なる例の平面図である。
【図１４】同柱吊り治具を用いて柱を起こし、吊り上げ、設置する作業の説明図である。
【図１５】柱から同柱吊り治具を取り外す作業の一例の説明図である。
【図１６】柱から同柱吊り治具を取り外す作業の異なる例の説明図である。
【図１７】従来の柱の吊上げ方法の説明図である。
【図１８】従来の柱の吊上げ方法による柱吊上げ時の状態を示す図である。
【発明を実施するための形態】
【００１７】
この発明の一実施形態を図面と共に説明する。
図１は、この発明の一実施形態にかかる柱吊り治具を柱に取り付けた状態を示す。柱吊り治具１は、リング状部材２と、このリング状部材２にそれぞれ一端が結合された各２本の上側吊索３および下側吊索４とで構成される。なお、以下の説明において、上側吊索３および下側吊索４を合わせて「上下の吊索３，４」と呼称することもある。
【００１８】
この柱吊り治具１が適用される柱３０は、例えば３階建てプレハブ建物の鉄骨柱であり、この例の場合、図２に示すように、１本の角形鋼管３１と２本のリップ溝形鋼３２とを組み合わせてなる。図１において、柱３０の下端には、ベースプレート３３と左右一対のブレースシート３４とが溶接により接合されている。また、柱３０の２階床梁の高さ、３階床梁の高さ、および小屋梁の高さには、左右一対のブレースシート３４と、それぞれの梁と連結するためのガセットプレート３５とが溶接により接合されている。さらに、柱３０の上端には、屋根作業用のスタンション３６が取り付けられている。３階建てプレハブ建物用の柱３０の全長は、スタンション３６も含めて、約１２〜１３ｍである。図１、図２に示す柱３０は一例であって、この柱吊り治具１が適用される柱はこれに限定されない。
【００１９】
柱吊り治具１の前記リング状部材２を図２〜図８に示す。リング状部材２は、帯鋼等の鋼材を主材料としてなり、平面形状円形で上下幅が一定に形成されている。リング状部材２の内径Ｄは、図２に示すように、水平に保持したリング状部材２の中空部５内に、立てた姿勢の柱３０が余裕を持って挿通される寸法、例えば約４００〜５００ｍｍである。図５に示すように、リング状部材２の骨格を構成する帯鋼等の鋼材６の上下両端に、柱３０の傷防止のために、塩化ビニール、ニトルゴム等の樹脂材からなる養生材７が被せられている。
【００２０】
図２〜図４において、リング状部材２の円周方向の互いに対向する２箇所には、上下の吊索３，４を結合するための吊索結合部材である吊りプレート１０が設けられている。この吊りプレート１０は、リング状部材２の外周面に溶接により接合された上側吊索結合用板部１１と、この上側吊索結合用板部１１に対して垂直に接合され外径側へ延びる下側吊索結合用板部１２とからなり、前記上側吊索結合用板部１１のリング状部材２よりも上方に延びた部分に上側吊索結合用孔１３が形成され、前記下側吊索結合用板部１２に下側吊索結合用孔１４が形成されている。
【００２１】
この実施形態のリング状部材２は、周方向に分割された２つの半割部材２Ａ，２Ｂからなる。リング状部材２を２つの半割部材２Ａ，２Ｂに分割する２つの分割部１５，１６のうちの片方の分割部１５は、両半割部材２Ａ，２Ｂを丁番１７を介して互いに回動自在に連結した構造であり、もう片方の分割部１６は、両半割部材２Ａ，２Ｂ同士を連結手段１８により係脱可能に連結する構造である。
【００２２】
具体的には、丁番１７を介して連結した片方の分割部１５は、両半割部材２Ａ，２Ｂの外周面に固定された丁番プレート２Ａａ，２Ｂａの対向端同士を丁番１７により連結している。丁番１７は、丁番プレート２Ａａ，２Ｂａの対向端にそれぞれ形成された各ピン孔にピンを挿入して互いに回動自在に連結したピン結合構造である。これにより、図８に示すように、両半割部材２Ａ，２Ｂが丁番１７を支点として回動し、差込みピン１９により連結されるもう片方の分割部１６が開閉する。つまり、もう片方の分割部１６がリング状部材２の開閉部である。
【００２３】
連結手段１８は、図６に示すように、差込みピン１９と、ピン差込み孔形成体である円筒体２０Ａ，２０Ｂ，２０Ａとで構成される。図７に示すように、２つの円筒体２０Ａ，２０Ａは、互いに上下に離して配置され、それぞれが片方の半割部材２Ａの外径屈曲端２Ａｂに溶接により固定されている。また、円筒体２０Ｂは、前記２つの円筒体２０Ａ，２０Ａの間の上下高さに配置され、もう片方の半割部材２Ｂの外径屈曲端２Ｂｂに溶接により固定されている。図６（Ｂ）のように、差込みピン１９を互いに中心を揃えた前記各円筒体２０Ａ，２０Ｂ，２０Ａに挿通することで、半割部材２Ａ，２Ｂ同士を連結する。差込みピン１９の上端には、円筒体２０Ａ，２０Ｂ，２０Ａの内径よりも幅寸法が大きい円環状つまみ１９ａが設けられている。
【００２４】
上の円筒体２０Ａの外周面および差込みピン１９の下端部に、それぞれ落下防止具取付リング２１，２２が設けられている。これら落下防止具取付リング２１，２２は、円筒体２０Ａ，２０Ａ，２０Ａに挿通された差込みピン１９の抜けを防止するために、落下防止具２３の両端をそれぞれ取り付けるためのものである。落下防止具２３は、ワイヤ等の可撓性紐状体２３ａの両端に落下防止具取付リング２１，２２に取付可能な止め具２３ｂを設けたものであり、例えば「セーフティコード」の名称で商品化されているものを使用することができる。
【００２５】
落下防止具２３は、差込みピン１９を円筒体２０Ａ，２０Ｂ，２０Ａに挿通したときにだけ両端の止め具２３ｂをそれぞれ落下防止具取付リング２１，２２に取り付けてもよいが、次のようにしても良い。すなわち、図６（Ａ）のように、差込みピン１９が円筒体２０Ａ，２０Ｂ，２０Ａに挿通されていないときは、落下防止具２３の両側の止め具２３ｂをそれぞれ円筒体２０Ａの落下防止具取付リング２１および差込みピン１９の円環状つまみ１９ａに取り付けておき、差込みピン１９を円筒体２０Ａ，２０Ｂ，２０Ａに挿通してから、図６（Ｂ）のように、差込みピン１９の円環状つまみ１９ａに取り付けられていた止め具２３ｂを落下防止具取付リング２２に付け直す。これにより、差込みピン１９の紛失を防止できる。
【００２６】
上側吊索３および下側吊索４は、例えば図９に示すようなワイヤロープであり、両端にそれぞれアイ３ａ，３ｂ，４ａ，４ｂを有する。適用される柱３０の長さが約１２〜１３ｍである場合、上側吊索３の長さは約４ｍ、下側吊索４の長さは約９ｍとされる。上側吊索３および下側吊索４は、ワイヤロープ以外の紐状体であってもよい。
【００２７】
図１０に示すように、上側吊索３の下端は、シャックル２５を介して、リング状部材２の吊りプレート１０の上側吊索結合用板部１１に結合されている。その結合方法は、上側吊索３のアイ３ａにシャックル２５のＵ字形本体２５ａに通し、上側吊索結合用板部１１に形成された上側吊索結合用孔１３にシャックル２５のピン２５ｂを挿通して行う。同様に、下側吊索４の上端は、シャックル２５を介して、吊りプレート１０の下側吊索結合用板部１２に接続されている。その結合方法は、下側吊索４のアイ４ａにシャックル２５のＵ字形本体２５ａに通し、吊りプレート１０の下側吊索結合用板部１２に形成された下側吊索結合用孔１４にシャックル２５のピン２５ｂを挿通して行う。
【００２８】
上記柱吊り治具１を用いて、クレーンにより、地面に横倒しに置かれた柱３０を起こし、吊り上げ、建て込み位置に設置する方法を説明する。
＜柱に対して柱吊り治具を取り付ける過程＞
まず、図８のようにリング状部材２の開閉部である分割部１６を開状態とし、その開状態の分割部１６を通して、横倒しに置かれた柱３０の上下方向中間部をリング状部材２の中空部５に入れる。次いで、リング状部材２の分割部１６を閉じ、各円筒体２０Ａ，２０Ｂ，２０Ａに差込みピン１９を挿通して、両半割部材２Ａ，２Ｂを連結する。その後、落下防止具取付リング２１，２２に落下防止具２３の両端の止め具２３ｂを取り付けて、円筒体２０Ａ，２０Ｂ，２０Ａから差込みピン１９が抜けないようにする。
【００２９】
次に、図１１、図１２に示すように、下側吊索４の下端を、シャックル２５を介して、柱３０の下端部に設けられたブレースシート３４に結合する。その結合方法は、下側吊索４のアイ４ｂにシャックル２５のＵ字形本体２５ａに通し、ブレースシート３４に形成された孔３４ａにシャックル２５のピン２５ｂを挿通して行う。なお、図１１、図１２は柱３０が基礎４１上の建て込み位置に建て込まれた状態を示しているが、柱３０が建て込み前で横倒しになっている場合も、下側吊索４とブレースシート３４の結合構造は同じである。
【００３０】
そして、上側吊索３の上端のアイ３ｂを、クレーンのフック４０（図１４）に掛ける。前記リング状部材２の中空部５に柱３０の上下方向中間部を入れる作業や、下側吊索４の下端をブレースシート３４に結合する作業に先行して、上側吊索３の上端のアイ３ｂをクレーンのフック４０に掛けておいてもよい。図１４（Ａ）は、上記各作業が終了した状態を示す。
【００３１】
＜柱を吊り上げ・設置する過程＞
図１４（Ａ）の状態でクレーンのフック４０を上昇させると、図１４（Ｂ）のように、リング状部材２によって柱３０の上下方向中間部が支えられながら柱３０が起立する。さらにフック４０を上昇させると、図１４（Ｃ）のように、下側吊索４によって柱３０の下端が引き上げられて、柱３０が吊り上げられる。２本の上側吊索３により互いに対向する２箇所が吊られたリング状部材２は水平姿勢となる。この水平姿勢のリング状部材２により柱３０の上下方向中間部の周囲が囲まれて、上下方向中間部の水平移動が限定される。また、柱３０の下端部の両側に設けられたブレースシート３４が２本の下側吊索４で支持されるため、柱３０の下端部の位置が水平面上で振れずに安定する。これらのことから、吊り上げられた柱３０は、ほぼ垂直の姿勢に安定して保持される。
【００３２】
吊上げられた柱３０を基礎４１上の建て込み位置の上方まで移動させてから、図１４（Ｄ）のように、フック４０を下降させて柱３０を建て込み位置に設置する。このとき、柱３０がほぼ垂直の姿勢に保持されたまま下降するため、柱３０を安全かつ容易に設置することができる。
【００３３】
柱３０を設置した後、図１１、図１２に示すように、柱３０の下端を基礎４１に固定する。すなわち、柱３０のベースプレート３３に設けられた貫通孔（図示せず）に、基礎天端から上方に突出するアンカーボルト４２を挿通し、そのアンカーボルト４２のベースプレート３３よりも突出した部分にナット４３を螺着することで固定する。
【００３４】
＜柱から柱吊り治具を取り外す過程（第１の取外し方法）＞
その後、図１５（Ａ）のように、各下側吊索４を柱３０のブレースシート３４から外し、図１５（Ｂ）のように、クレーンのフック４０を上昇させることにより、柱３０に対してリング状部材２を上方に抜いて、柱３０から柱吊り治具１を取り外す。この柱吊り治具１の取外し方法であると、作業者は地上で下側吊索４をブレースシート３４から外す作業を行うだけでよく、高所作業をしなくてよいので安全である。
【００３５】
＜柱から柱吊り治具を取り外す過程（第２の取外し方法）＞
図１６は、上記とは異なる柱吊り治具１の取外し方法を示す。同図（Ａ）のように、リング状部材２が地面または地面近くの高さとなるまで柱吊り治具１を下降させ、そのリング状部材２の開閉部である分割部１６を開状態（図８参照）とし、この開状態の分割部１６を通ってリング状部材２の中空部５（図８）から柱３０を抜くことにより、柱３０から柱吊り治具１を取り外す。この柱吊り治具１の取外し方法も、作業者は地上で作業を行うだけでよく、高所作業をしなくてよいので、安全である。
【００３６】
上記２通りの柱吊り治具の取外し方法は、柱３０の形態や作業現場の状況等に応じて適宜使い分けると良い。例えば、図１に示す柱３０に設けられているガセットプレート３５やスタンション３６よりも横方向に大きく張り出す部材が設けられている柱（図示せず）については、図１５のように柱に対してリング状部材２を上方に抜くことが困難であるため、図１６の取外し方法を採用する。
【００３７】
上記２通りの柱吊り治具の取外し方法のいずれを採用する場合でも、この発明の柱吊り治具１を使用して柱３０を起こし、吊り上げ、設置すると、従来の玉掛けによる柱の吊上げ方法のように、柱に吊索を巻き付けたり、外したりする作業が不要であるため、作業効率が良い。また、高所作業をしなくてよいので、安全である。
【００３８】
上記実施形態では、上下の吊索３，４の本数を各２本としたが、３本以上の複数本としてもよい。その場合、リング状部材２の互いに周方向の異なる箇所に、上下の吊索３，４の一端をそれぞれ結合する。
【００３９】
また、上記実施形態では、リング状部材２の平面形状を円形としたが、例えば図１３のように、リング状部材２の平面形状は四角形であってもよく、あるいはそれ以外の形状であってもよい。図１３に示す平面形状が四角形のリング状部材２も２つの半割部材２Ａ，２Ｂからなり、片方の分割部１５は、両半割部材２Ａ，２Ｂを互いに丁番１７を介して互いに回動自在に連結した構造であり、もう片方の分割部１６は、両半割部材２Ａ，２Ｂ同士を連結手段１８により係脱可能に連結する構造であり、もう片方の分割部１６が開閉部となる。
【００４０】
リング状部材２は、柱３０の出入りが可能な開閉部が設けられていなくてもよい。その場合、図１５に示す柱から柱吊り治具を取り外す方法は実施できるが、図１６に示す柱から柱吊り治具を取り外す方法は実施できない。リング状部材２に柱３０の出入りが可能な開閉部となる分割部１６が設けられている場合、分割部１６を遠隔で開閉可能とすると、図１６に示す柱から柱吊り治具を取り外す過程において、リング状部材２が地面または地面近くの高さとなるまで柱吊り治具１を下降させることが不要となり、より一層作業効率を向上させることができる。
【符号の説明】
【００４１】
１…柱吊り治具
２…リング状部材
２Ａ，２Ｂ…半割部材
３…上側吊索
４…下側吊索
１５…片方の分割部
１６…もう片方の分割部（開閉部）
１７…丁番（ピン結合構造）
１８…連結手段
３０…柱
４０…フック
４１…基礎
【図１】
2016023021.tif 000003
【図２】
2016023021.tif 000004
【図３】
2016023021.tif 000005
【図４】
2016023021.tif 000006
【図５】
2016023021.tif 000007
【図６】
2016023021.tif 000008
【図７】
2016023021.tif 000009
【図８】
2016023021.tif 000010
【図９】
2016023021.tif 000011
【図１０】
2016023021.tif 000012
【図１１】
2016023021.tif 000013
【図１２】
2016023021.tif 000014
【図１３】
2016023021.tif 000015
【図１４】
2016023021.tif 000016
【図１５】
2016023021.tif 000017
【図１６】
2016023021.tif 000018
【図１７】
2016023021.tif 000019
【図１８】
2016023021.tif 000020